(57)【特許請求の範囲】
【請求項１】
家畜に飼料を与える皿部と、
一方に飼料が導入される導入口と、他方に飼料が排出される排出口とを有し、前記皿部に前記排出口を対向させて前記皿部の上方に設けられる筒状の本体部と、
前記本体部の導入口と連通して前記本体部の上部に設けられ、飼料を搬送する搬送路と連通されるアダプタ部と
を備え、
前記アダプタ部は、前記搬送路の端で飼料搬送用の駆動源が組み付けられるフランジ部を有し、
前記皿部は、前記駆動源が組み付けられる前記フランジ部下方以外の箇所に設けられていることを特徴とする給餌装置。
【請求項２】
請求項１記載の給餌装置において、
前記皿部の平面形状は、該皿部の縁部が円弧部と該円弧部の端どうしを繋ぐ連結部とで構成されたものであり、
前記皿部は、前記フランジ部の前記搬送路側の下方が前記円弧部、前記フランジ部の前記駆動源側の下方が前記連結部となるように設けられていることを特徴とする給餌装置。
【請求項３】
請求項１または２記載の給餌装置において、
前記フランジ部の下方の前記本体部の側壁が、前記フランジ部の平面と平行であることを特徴とする給餌装置。
【請求項４】
請求項１、２または３記載の給餌装置と、
前記給餌装置に搬送路を通じて飼料を搬送する搬送部と
を備え、
前記検知部と前記搬送部とは、結線され、
前記検知部の飼料検知によって、前記搬送部による飼料の搬送を停止させることを特徴とする給餌システム。
【請求項５】
請求項４記載の給餌システムにおいて、
飼料を貯蔵する貯蔵部を備え、
前記搬送路の一端側に前記貯蔵部が設けられ、前記搬送路の他端側に前記給餌装置が設けられ、
前記貯蔵部から前記搬送路を通じて前記給餌装置まで飼料が搬送されることを特徴とする給餌システム。
【発明の詳細な説明】
【技術分野】
【０００１】
本発明は、給餌装置およびこれを備えた給餌システムに適用して有効な技術に関する。
【背景技術】
【０００２】
畜産業において、例えば、飼料搬送路に設けられた複数の給餌装置を用い、雛から成鶏に至る成長段階に応じて異なる飼料を与え、ブロイラーを飼養するための給餌方法（ブロイラーの生産方法）が知られている。ブロイラーの生産方法に用いられる給餌装置に関する技術が、例えば、特開２００３−９２９４７号公報（特許文献１）に記載されている。
【先行技術文献】
【特許文献】
【０００３】
【特許文献１】特開２００３−９２９４７号公報
【発明の概要】
【発明が解決しようとする課題】
【０００４】
図１４を参照して、本発明者が新たに見出した給餌装置の課題について説明する。図１４は、本発明者が検討した給餌装置１１０の要部を模式的に示す上面図（平面図）である。
【０００５】
給餌装置１１０は、家畜に飼料を与える器となる平面視円形状の皿部１１１と、飼料を搬送する搬送路１２１（パイプ）と連結されるアダプタ部１３４とを備えている。皿部１１１の中央部上方には、図示しない筒状の本体部が設けられており、この本体部に、アダプタ部１３４が組み付けられている。アダプタ部１３４の内部には空間領域が形成されており、この空間領域が搬送路１２１に形成されている開口部と連通する。このため、搬送路１２１から搬送されてきた飼料がアダプタ部１３４の内部および本体部の内部を介して皿部１１１に供給されることとなる。
【０００６】
給餌装置１１０は、図１４に示すように、搬送路１２１の端に設けられている。このため、アダプタ部１３４には、搬送路１２１内に設けられる飼料搬送用スクリューコンベア（図示せず）を回転駆動するモータ１３２が組み付けられる。このため、給餌装置１１０は、搬送路１２１と連通する他の給餌装置（図示せず）と比べて、皿部１１１の給餌スペースにおいてモータ１３２が占める領域分だけ浸食されてしまう。すなわち、皿部１１１の給餌スペースが、モータ１３２に隠れる状態になるので、家畜の採食が難しくなってしまう。
【０００７】
採食されずに残った飼料は、例えば、異なる飼料を給餌する際には、作業者によって取り除く必要がある。このため、給餌能力（給餌効率）が低下してしまう。
【０００８】
本発明の目的は、給餌能力を高めることのできる給餌技術を提供することにある。本発明の前記ならびにその他の目的と新規な特徴は、本明細書の記述および添付図面から明らかになるであろう。
【課題を解決するための手段】
【０００９】
本願において開示される発明のうち、代表的なものの概要を簡単に説明すれば、次のとおりである。本発明の一実施形態における給餌装置は、家畜に飼料を与える皿部と、一方に飼料が導入される導入口と、他方に飼料が排出される排出口とを有し、前記皿部に前記排出口を対向させて前記皿部の上方に設けられる筒状の本体部と、前記本体部の導入口と連通して前記本体部の上部に設けられ、飼料を搬送する搬送路と連通されるアダプタ部とを備え、前記アダプタ部は、前記搬送路の端で飼料搬送用の駆動源が組み付けられるフランジ部を有し、前記皿部は、前記駆動源が組み付けられる前記フランジ部下方以外の箇所に設けられていることを特徴とする。
【００１０】
これによれば、前記駆動源の下方の前記皿部に位置する部分がカットされたものとなる。カットされた部分には飼料が供給されないので、言い換えると、皿部には家畜に採食される分の飼料だけが供給されるので、給餌に無駄が無く、給餌能力を高めることができる。
【００１１】
また、本発明の他の実施形態における給餌装置において、前記皿部の平面形状は、該皿部の縁部が円弧部と該円弧部の端どうしを繋ぐ連結部とで構成されたものであり、前記皿部は、前記フランジ部の前記搬送路側の下方が前記円弧部、前記フランジ部の前記駆動源側の下方が前記連結部となるように設けられていることを特徴とする。これによれば、前記円弧部で給餌スペースを確保しながら前記フランジ部の前記駆動源側の空間に自由度が生まれる。また、前記駆動源の形状などに依存しないで、前記フランジ部に前記駆動源を組み付けることができる。
【００１２】
また、本発明の他の実施形態における給餌装置において、前記フランジ部の下方の前記本体部の側壁が、前記フランジ部の平面と平行であることを特徴とする。これによれば、前記フランジ部の前記駆動源側の空間に自由度が生まれる。すなわち、前記駆動源の形状などに依存しないで、前記フランジ部に前記駆動源を組み付けることができる。
【００１３】
また、本発明の一実施形態における給餌システムは、前記給餌装置と、前記給餌装置に搬送路を通じて飼料を搬送する搬送部とを備え、前記検知部と前記搬送部とは、結線され、前記検知部の飼料検知によって、前記搬送部による飼料の搬送を停止させることを特徴とする。これによれば、給餌能力の高い給餌システムを提供することができる。
【００１４】
また、本発明の他の実施形態における給餌システムにおいて、飼料を貯蔵する貯蔵部を備え、前記搬送路の一端側に前記貯蔵部が設けられ、前記搬送路の他端側に前記給餌装置が設けられ、前記貯蔵部から前記搬送路を通じて前記給餌装置まで飼料が搬送されることを特徴とする。これによれば、前記搬送路すべてに飼料が行き渡った後に、飼料供給を停止することができる。
【発明の効果】
【００１５】
本願において開示される発明のうち、代表的なものによって得られる効果を簡単に説明すれば以下のとおりである。本発明によれば、給餌能力を高めた給餌技術を提供することができる。
【図面の簡単な説明】
【００１６】
【図１】本発明の実施形態における給餌システムの概略構成図である。
【図２】本発明の実施形態における給餌装置の斜視図である。
【図３】図２に示すＡ−Ａ線に対応する給餌装置の断面図である。
【図４】図３に示すＢ−Ｂ線に対応する給餌装置の断面図である。
【図５】図３に示すＣ−Ｃ線に対応する給餌装置の断面図である。
【図６】図４に示す給餌装置の要部拡大図である。
【図７】一部を取り外した図２に示す給餌装置の斜視図である。
【図８】図７に示す給餌装置の要部上面図（平面図）である。
【図９】本発明の実施形態における拡散部の斜視図である。
【図１０】本発明の実施形態におけるスイッチ収納ケースの斜視図である。
【図１１】本発明の実施形態における作動板の斜視図である。
【図１２】本発明の実施形態における給餌装置の動作を説明するための図である。
【図１３】図１２に続く給餌装置の動作を説明するための図である。
【図１４】本発明者が検討した給餌装置の上面図（平面図）である。
【発明を実施するための形態】
【００１７】
以下の本発明に係る実施形態では、必要な場合に複数のセクションなどに分けて説明するが、原則、それらはお互いに無関係ではなく、一方は他方の一部または全部の変形例、詳細などの関係にある。このため、全図において、同一の機能を有する部材には同一の符号を付し、その繰り返しの説明は省略する。
【００１８】
また、構成要素の数（個数、数値、量、範囲などを含む）については、特に明示した場合や原理的に明らかに特定の数に限定される場合などを除き、その特定の数に限定されるものではなく、特定の数以上でも以下でも良い。また、構成要素などの形状に言及するときは、特に明示した場合および原理的に明らかにそうではないと考えられる場合などを除き、実質的にその形状などに近似または類似するものなどを含むものとする。
【００１９】
まず、本発明の実施形態における家畜（例えば、鶏、豚など）のための給餌システム２０について、図面を参照して説明する。図１に給餌システム２０の概略構成を示す。この給餌システム２０は、飼料検知機能のある給餌装置１０と、給餌装置１０に搬送路２１を通じて飼料を搬送する搬送部２２と、飼料を貯蔵する貯蔵部２３と、飼料検知機能のない給餌装置３０とを備えている。飼料検知機能のある給餌装置１０と搬送部２２とは結線されており、給餌システム２０では、給餌装置１０で飼料を検知したときに、搬送部２２を停止し、給餌装置１０、３０からの給餌を停止する構成となっている。
【００２０】
搬送部２２は、例えば、パイプで構成される搬送路２１と、搬送路２１内に設けられたスクリューコンベア３１と、スクリューコンベア３１を回転駆動するモータ３２（飼料搬送用の駆動部）とを備えて構成されている。また、貯蔵部２３は、例えば、ホッパーで構成されている。また、給餌装置１０、３０は、器となる皿部１１、１１Ａから家畜に飼料を与える（給餌する）機能を有して構成されている。このうち、給餌装置１０は、さらに飼料検知機能を有して構成されている。この飼料検知機能については後述するが、給餌装置１０の皿部１１に所定量の飼料が貯留（蓄積）されたことを検知する機能である。なお、皿部１１と皿部１１Ａとの相違点は、平面視円形状の一部がカットされたものが皿部１１で、カットされていないものが皿部１１Ａである。
【００２１】
図１に示すように、給餌システム２０では、搬送路２１の一端側（上流側）に搬送路２１と連通する貯蔵部２３が設けられ、搬送路２１の他端側（下流側）に搬送路２１と連通する給餌装置１０が設けられている。また、貯蔵部２３と給餌装置１０との間の、搬送路２１の中途に搬送路２１と連通する複数の給餌装置３０が設けられている。また、搬送路２１の他端側にモータ３２が設けられている。このモータ３２は、ドライブシャフト（図示せず）を介して搬送路２１内で延びるスクリューコンベア３１と連結されている。
【００２２】
なお、モータ３２を搬送路２１の一端側（上流側）に設けて、スクリューコンベア３１と連結することもできる。しかしながら、上流側にモータ３２を設ける場合、スクリューコンベア３１は、飼料を押しながら搬送することになり、下流側のスクリューコンベア３１にたわみが生じ、搬送路２１と干渉して騒音がするおそれがある。そこで、本実施形態では、下流側となる搬送路２１の他端側にモータ３２を設けている。
【００２３】
ここで、給餌システム２０の動作の一例について説明する。貯蔵部２３に飼料が貯蔵された状態において、モータ３２を駆動し、スクリューコンベア３１を回転させる。これにより、搬送路２１の一端側から他端側へと、飼料が搬送されていく。搬送路２１では貯蔵部２３に最も近い上流の給餌装置３０から最も下流の給餌装置１０まで飼料が搬送され、供給装置１０、３０へ飼料が供給される。
【００２４】
供給装置１０で飼料の貯留（蓄積）が所定量に達すると、飼料検知機能によって、飼料を検知したこととなり、搬送部２２（モータ３２）の動作が停止される。したがって、給餌システム２０では、搬送路２１のすべてに飼料が行き渡った後に、飼料搬送を停止し、給餌装置３０および給餌装置１０への飼料供給を停止することができる。
【００２５】
次に、本発明の実施形態における給餌装置１０について、図面を参照して説明する。図２に斜視による給餌装置１０を示す。また、図３に図２のＡ−Ａ線に対応する給餌装置１０の断面、図４に図３のＢ−Ｂ線に対応する給餌装置の断面、図５に図３のＣ−Ｃ線に対応する給餌装置１０の断面を示す。また、図６に図４の給餌装置１０の要部（検知部１２）を拡大して示す。また、図７に斜視による一部（アダプタ部３４など）を取り外した給餌装置１０を示す。また、図８に図７の給餌装置１０の要部上面（平面）を示す。
【００２６】
給餌装置１０は、家畜に飼料を与える器となる皿部１１と、皿部１１の上方に設けられ、皿部１１に貯留された飼料を検知する検知部１２（飼料検知機能）とを備えている。また、給餌装置１０は、組立基部となる本体部１８と、家畜から本体部１８をガードするガード部３３と、搬送部２２（搬送路２１）と連結されるアダプタ部３４とを備えている。これら皿部１１、検知部１２、ガード部３３およびアダプタ部３４などが、本体部１８に組み付けられている。
【００２７】
図３に示すように、アダプタ部３４は、搬送路２１（図１参照）であるパイプが固定穴３５ａ（貫通穴）で固定して組み付けられるためのパイプ固定部３５を有している。また、アダプタ部３４には、搬送路２１の他端でモータ３２が組み付けられるためのフランジ部３６を有している。このフランジ部３６の中央部には、貫通穴３６ａが形成されており、モータ３２のドライブシャフト（図示せず）が貫通穴３６ａを通過して設けられる。
【００２８】
そして、本体部１８の上部に設けられたアダプタ部３４の内部３４ａには空間領域が形成されており、この空間領域が搬送路２１に形成されている開口部と連通する。アダプタ部３４の本体部１８側では、内部３４ａが開口されているため、搬送路２１から搬送されてきた飼料がアダプタ部３４の内部３４ａを介して本体部１８に供給されることとなる。
【００２９】
この本体部１８は、図３に示すように、一方（上方）に飼料が導入される導入口１８ａ（開口部）と、他方（下方）に飼料が排出される排出口１８ｂ（開口部）とを有する筒状体で構成されている。本体部１８では、排出口１８ｂ側の開口部が導入口１８ａ側の開口部より広くなるようにして、飼料の落下フードとして構成されている。
【００３０】
本体部１８の上面視からの平面形状は、図８に示すように、側壁１８ｆで構成された矩形状となっている。また、導入口１８ａおよび排出口１８ｂの開口形状は、矩形状となっている。また、矩形状の排出口１８ｂ側において、本体部１８の内部は、互いに平行して対向する、一対の平坦な内壁面１８ｄ、１８ｄおよび一対の平坦な内壁面１８ｅ、１８ｅを有している。
【００３１】
本体部１８の導入口１８ａと連通して本体部１８の上部には、アダプタ部３４が設けられている。また、本体部１８の排出口１８ｂの下方には、器となる皿部１１が排出口１８ｂと対向して設けられている。このような構成において、搬送部２２で搬送された飼料が、アダプタ部３４を介して導入口１８ａから本体部１８内に導入され、筒状の本体部１８内を通過（落下）して、排出口１８ｂから排出されて、皿部１１上に貯留される作用が得られる。なお、本体部１８の内部とアダプタ部３４の内部３４ａとは連通されており、搬送路２１から皿部１１への飼料供給における筒状体（供給部）として、アダプタ部３４は本体部１８の一部とみなすこともできる。
【００３２】
本体部１８の下方の皿部１１は、皿部１１の外周部（縁部）側の内底部１１ａ（図３参照）が、家畜に飼料を与えるために露出して設けられている（露出した領域を給餌スペースともいう。）。皿部１１の平面形状（図８参照）は、略半円形状であり、皿部１１の縁部が円弧部１１ｄと円弧部１１ｄの端どうしを直線状の繋ぐ連結部１１ｅとで構成されたものとなっている。
【００３３】
この皿部１１は、フランジ部３６の搬送路２１側の下方が円弧部１１ｄ、フランジ部３６のモータ３２側の下方が連結部１１ｅとなるように設けられている。より具体的には、皿部１１の連結部１１ｅとフランジ部３６の平面とが平行になるように設けられている。また、このような皿部１１の形状に合わせるように、本体部１８は、アダプタ部３４のフランジ部３６の下方の本体部１８の側壁１８ｆが、フランジ部３６の平面と平行となるように設けられている。
【００３４】
また、皿部１１は、皿部１１の中央部が上方へ突起する突起部１１ｂに形成され、この突起部１１ｂが排出口１８ｂを通って本体部１８の内部に進入するように設けられている。そして、皿部１１は、この突起部１１ｂを覆い、突起部１１ｂの外壁を構成する拡散部４０を有している。
【００３５】
図９に拡散部４０を斜視によって示す。拡散部４０の内部４０ａには、空間領域が形成されている。この内部４０ａを形成するために、拡散部４０は、拡散部４０の外壁を構成する下部４０ｂおよび傾斜する屋根を構成する上部４０ｃを有している。このような拡散部４０の底部側では、内部４０ａが開口されており、この内部４０ａに突起部１１ｂが進入することとなる（図３参照）。
【００３６】
拡散部４０の下部４０ｂは、作動板１４側に膨らんで円弧を描く外壁面４０ｅおよび互いに平行して対向する一対の平坦な外壁面４０ｄ、４０ｄ（図８参照）を有して構成されている。この外壁面４０ｄは、本体部１８の内部の内壁面１８ｄと平行して対向している。
【００３７】
このような拡散部４０を設けることで、導入口１８ａから本体部１８内に導入された飼料が拡散部４０の上部４０ｃに衝突し、上部４０ｃの傾斜面に沿って所望方向に飼料が分配されながら排出口１８ｂから排出される作用が生じる。したがって、排出口１８ｂから排出される飼料が皿部１１の内底部１１ａに均等に分配されて貯留される効果が得られる。また、本体部１８の内部の内壁面１８ｄと、拡散部４０（突起部１１ｂ）の外壁面４０ｄとの間で飼料の動きが規制されるため、例えば、飼料供給の際に、拡散部４０の回りを飼料が回動するのを防止することができる。なお、突起部１１ｂ自体がこのような形状であれば、皿部１１に拡散部４０を設けなくともよい。
【００３８】
検知部１２は、図６に示すように、スイッチ１３と、スイッチ１３を収納するケース４１と、スイッチ１３に設けられた第１磁石１６と、作動板１４と、作動板１４に設けられた第２磁石１７とを有して構成されている。一対の第１磁石１６および第２磁石１７は、互いが対向した際に反発力が強くなる（作用する）ように設けられている。第１磁石１６および第２磁石１７には、例えば、ネオジム磁石などの永久磁石を用いることができる。
【００３９】
スイッチ１３は、作動板１４の作動によりオンオフ動作して、給餌または給餌停止の制御を行うものである。給餌装置１０（給餌システム２０）では、スイッチ１３がオンのとき家畜に対して給餌され、スイッチ１３がオフのとき給餌が停止される構成となる。
【００４０】
例えば、スイッチ１３には、マイクロスイッチを用いることができる。このスイッチ１３は、例えば、往復動するプランジャ１３ａと、プランジャ１３ａを押動するレバー１３ｂと、端子１３ｃ、１３ｄ、１３ｅとを有している。このスイッチ１３において、レバー１３ｂの先端部に、第１磁石１６が設けられている。また、端子１３ｃ、１３ｄ、１３ｅは、例えば、共通端子、ＮＣ（Normally Close）端子、ＮＯ（Normally Open）端子であり、ケーブル端子４２（図２参照）と電気的に接続されている。このケーブル端子４２を介して、検知部１２と搬送部２２（図１参照）とが結線される。
【００４１】
スイッチ１３では、例えば、ＮＣ端子を使用し、飼料搬送時において作動板１４の自重による圧力でＮＣ端子をクローズしている（スイッチ１３がオン状態である。）。また、検知部１２の作動板１４まで飼料が到達し、作動板１４が押圧される（押し込まれる）と、ＮＣ端子がオープンする（スイッチ１３がオフ状態である。）。なお、スイッチ１３がオン状態のときは、スイッチ１３とモータ３２とは電気的に接続され、他方、スイッチ１３がオフ状態のときは、スイッチ１３とモータ３２とは非接続となり、モータ３２が停止する。
【００４２】
図１０にスイッチ１３を収納するケース４１を斜視によって示す。ケース４１は、内部でスイッチ１３がネジ止めされ、スイッチ１３を飼料から保護するものとなる。また、ケース４１には開口部が形成されており、この開口部にブッシング４３が設けられている。ブッシング４３の貫通穴からスイッチ１３の端子１３ｃ、１３ｄ、１３ｅのケーブルが、ケース４１内部から取り出されて、ケーブル端子４２を構成する。
【００４３】
作動板１４は、スイッチ１３を動作させるものである。この作動板１４は、飼料からの押圧力を受けて作動するように、本体部１８の内部で往復動可能に設けられている。図１１に作動板１４を斜視によって示す。また、作動板１４の往復動方向を、図８および図１２中の矢印１９で示す。
【００４４】
この作動板１４は、例えば、一枚のステンレス鋼から加工形成され、飼料を受け止める平面部１４ａと、回転軸４４が設けられる一対の軸受け部１４ｂ、１４ｂと、飼料を受け止め易くする一対のフラップ部１４ｃ、１４ｃ（側壁部）とを有している。本体部１８で軸支された回転軸４４（図４参照）によって、作動板１４が回動するように設けられる。このような作動板１４において、スイッチ１３側のフラップ部１４ｃに、第２磁石１７が設けられる。図１１には、第２磁石１７が取り付けられる取り付け位置Ｌ２を示している。この第２磁石１７は、作動板１４の作動と共に、スイッチ１３に設けられた第１磁石１６に近接可能となるように設けられていることになる。
【００４５】
作動板１４は、軸受け部１４ｂで回転軸４４によって作動（回動）し、平面部１４ａおよびこれを補助するフラップ部１４ｃによってより作動し易い構成となっている。なお、ケース４１には、作動板１４の作動を規制するストッパ４１ａ（図６、図１２参照）が設けられている。
【００４６】
ここで、検知部１２では、ケース４１を構成する外壁が、スイッチ１３と作動板１４との間に設けられ、飼料からスイッチ１３（特に、プランジャ１３ａやレバー１３ｂの可動）を保護する保護壁１５となっている（図６参照）。この保護壁１５は、飼料を遮るものであって磁界を遮るものではないため、第１磁石１６と第２磁石１７との間に保護壁１５が設けられていても、第１磁石１６と第２磁石１７とが対向するように近接した際、反発力が強くなり、互いが反発し合うこととなる。他方、第１磁石１６と第２磁石１７とが離隔するにつれ、反発力が弱くなる。このため、作動板１４は、本体部１８の内部で往復動可能となる。
【００４７】
作動板１４に飼料からの押圧力が作用して、第１磁石１６と第２磁石１７とが互いに近接（対向）すると、第２磁石１７に対して第１磁石１６が反発し、レバー１３ｂを介してプランジャ１３ａが押動される。すなわち、スイッチ１３がオンからオフの状態となる。他方、互いが離隔して、第１磁石１６と第２磁石１７の反発力が弱まると、プランジャ１３ａが解除される。すなわち、スイッチ１３がオフからオンの状態となる。
【００４８】
このように、検知部１２では、保護壁１５によって保護されたスイッチ１３のオンオフ動作が、第１磁石１６と第２磁石１７の接離動で行われる。この検知部１２によれば、保護壁１５で飼料からスイッチ１３を保護しながら、磁力を用いた検知部１２で飼料を検知することができる。これにより、飼料検知の信頼性を高めることができる。
【００４９】
また、給餌装置１０では、フランジ部３６の搬送路２１側の下方が円弧部１１ｄ、フランジ部１１のモータ３２側の下方が連結部１１ｅとなるように皿部１１が設けられ、モータ３２の下方の皿部１１に位置する部分がカットされたものとなっている。カットされた部分には飼料が供給されないこととなる。言い換えると、皿部１１には家畜に採食される分の飼料だけが供給されることとなる。したがって、図１４を参照して説明したような課題に対して、皿部１１の給餌スペースが、モータ３２に隠れる状態がなくなり、給餌に無駄が無く、給餌能力を高めることができる。
【００５０】
また、連結部１１ｅがフランジ部３６の平面と平行な直線状に構成されることや、フランジ部３６の下方の本体部１８の側壁１８ｆが、フランジ部３６の平面と平行である構成とすることで、円弧部１１ｄで給餌スペースを確保しながらフランジ部３６のモータ３２側の空間に自由度が生まれる。すなわち、モータ３２の形状などに依存しないで、フランジ部３６にモータ３２を組み付けることができる。また、皿部１１の連結部１１ｅが直線状に構成されることで、皿部１１において飼料の詰まり（残り）がなくなるため、給餌能力を高めることができる。
【００５１】
ところで、ガード部３３は、家畜から本体部１８をガードするために設けられると共に、本体部１８に皿部１１を固定（支持）するために設けられている（図４参照）。このガード部３３は、筒状の上部係合部３３ａと、環状の下部係合部３３ｂと、上部係合部３３ａと下部係合部３３ｂとを連結する複数のアーム部３３ｃとを有して構成されている。上部係合部３３ａは、本体部１８を囲繞するように設けられている。この上部係合部３３ａには内部に突き出る爪部３３ｄが形成されており（図５参照）、本体部１８の外部に形成されている係止部１８ｃと係合する。また、下部係合部３３ｂは、皿部１１の縁部を覆うように設けられている（図３参照）。この下部係合部３３ｂには貫通する係止部３３ｅが形成されており、皿部１１の縁部に形成されている爪部１１ｃと係合する。
【００５２】
本体部１８の係止部１８ｃは、図５に示すように、本体部１８の高さ方向に複数形成されている。このため、所望の係止部１８ｃに対して爪部３３ｄを係合させることで、調整高さＨａの範囲内で位置調整して設けることができる。すなわち、給餌装置１０の高さを調整することができる。例えば、搬送路２１（図１参照）に設けられる複数の給餌装置３０の高さに合わせて、給餌装置１０の高さを調整することもできる。
【００５３】
また、皿部１１の内底部１１ａから固定された高さＨｆおよび調整高さＨａの範囲で、検知部１２を調整して設けることができる。すなわち、皿部１１の内底部１１ａから所望の距離で検知部１２の位置を固定することができる。この距離を調整することで、検知部１２で飼料を検知する、飼料の貯留量を調整することができる。
【００５４】
次に、給餌装置１０の動作について、図面を参照して説明する。図１２および図１３は、給餌装置１０の動作を説明するための図である。なお、説明を明解にするために、図１２、図１３では、作動板１４の回転軸４４の中心位置Ｏ、第１磁石１６がスイッチ１３に取り付けられている取り付け位置Ｌ１、第２磁石１７が作動板１４に取り付けられている取り付け位置Ｌ２を示している。
【００５５】
図１２に示すように、皿部１１が空のときのような、検知部１２が飼料１００を検知していない状態では、線分Ｏ−Ｌ１と線分Ｏ−Ｌ２との所定の角度θをもって、第１磁石１６と第２磁石１７とが離隔している。回動可能な作動板１４に設けられている第２磁石１７は、作動板１４の重心と回転軸４４の位置関係により自重のみでも、ある程度の角度を保持するが、第１磁石１６と第２磁石１７との反発力によって遮られてしまう。このため、線分Ｏ−Ｌ１と、線分Ｏ−Ｌ２との間で所定の角度θで第１磁石１６と第２磁石１７とが離隔するように、作動板１４が傾斜した状態で保持されることとなる。
【００５６】
検知部１２が飼料を検知していない通常の状態（スイッチ１３がＮＣ）では、図１に示す搬送部２２（スクリューコンベア３１、モータ３２）が作動し、飼料１００が搬送される。図１２の白抜き矢印２４で示すように、搬送部２２から飼料が供給された給餌装置１０では、本体部１８の内部を通過して、皿部１１に飼料１００が貯留し始める。
【００５７】
続いて、図１３に示すように、さらなる飼料供給により、本体部１８の内部にまで飼料１００が達する（蓄積する）。このとき、本体部１８の平坦な内壁面１８ｄと、突起部１１ｂ（拡散部４０）の平坦な外壁面４０ｄとが平行して設けられている（図８参照）ので、飼料は動きが規制される。すなわち、飼料は、作動板１４の背面に回り込むのではなく、作動板１４の平面部１４ａに向うように規制される。したがって、作動板１４の動作範囲が確保されるので、飼料検知の信頼性が高められる。
【００５８】
また、給餌装置１０では、本体部１８に設けられている検知部１２のスイッチ１３を保護壁１５（ケース４１）によって保護しているため、飼料１００がスイッチ１３の可動に不具合を与えることを防止している。このため、仮に飼料残りが本体部１８にあったとしても、スイッチ１３が正常に作動することとなる。
【００５９】
そして、飼料１００が作動板１４に接して押圧力を及ぼし始めると、作動板１４（第２磁石１７）は、作動板１４の作動（回動）と共に第１磁石１６に近接していき、最終的に線分Ｏ−Ｌ１と線分Ｏ−Ｌ２とが一致するように、ストッパ４１ａで停止する。このとき、第１磁石１６と第２磁石１７とが最も近接して対向し（図６参照）、第２磁石１７に対して第１磁石１６が反発し、レバー１３ｂを介してプランジャ１３ａが押動される。すなわち、スイッチ１３がオンからオフの状態となり、検知部１２が飼料１００を検知したこととなる。
【００６０】
検知部１２が飼料１００を検知することで、給餌システム２０においては、すべての給餌装置１０、３０に所定量の飼料１００が貯留したことになって、搬送部２２（スクリューコンベア３１、モータ３２）の動作が停止される。すなわち、給餌システム２０における給餌装置１０、３０からの給餌が停止されることとなる。
【００６１】
以上、本発明を実施形態に基づき具体的に説明したが、代表的なものの新規な特徴およびこれによって得られる作用、効果を簡単に説明すれば、次のとおりである。
【００６２】
給餌装置１０は、家畜に飼料を与える皿部１１を備えている。また、給餌装置１０は、一方に飼料が導入される導入口１８ａと、他方に飼料が排出される排出口１８ｂとを有し、皿部１１に排出口１８ｂを対向させて皿部１１の上方に設けられる筒状の本体部１８を備えている。また、給餌装置１０は、本体部１８の導入口１８ａと連通して本体部１８の上部に設けられ、飼料を搬送する搬送路２１と連通されるアダプタ部３４を備えている。アダプタ部３４は、搬送路２１の端で飼料搬送用の駆動源（モータ３２）が組み付けられるフランジ部３６を有している。皿部１１は、モータが組み付けられるフランジ部３６下方以外の箇所に設けられている。
【００６３】
これによれば、駆動源（モータ３２）の下方の皿部１１に位置する部分がカットされたものとなる。カットされた部分には飼料が供給されないので、言い換えると、皿部１１には家畜に採食される分の飼料だけが供給されるので、給餌に無駄が無く、給餌能力を高めることができる。
【００６４】
さらに、本発明は前記実施形態に限定されるものではなく、その要旨を逸脱しない範囲で種々変更可能であることはいうまでもない。
【００６５】
前記実施形態では、連結部１１ｅは、フランジ部３６の平面と平行な直線状に構成されている場合について説明した。これに限らず、例えば、円形状の皿部において、駆動部の平面形状の領域だけをカットする場合であってもよい。この場合であっても、家畜が採食しにくい駆動部下方には飼料が供給されないので、給餌に無駄が無く、給餌能力を高めることができる。
【００６６】
前記実施形態では、本体部１８は、フランジ部３６の平面と平行な側壁１８ｆを有して構成されている場合について説明した。これに限らず、フランジ部の下方に本体部が飛び出しすぎなければ、本体部の側壁が曲面を形成する場合であってもよい。
【００６７】
前記実施形態では、検知部１２の飼料検知（スイッチ１３のオフ）により搬送部２２を停止させる場合について説明した。これに限らず、例えば、本体部の導入口を開閉するシャッタ部を給餌装置に設け、検知部の飼料検知により前記シャッタ部を閉じて、給餌を停止する構成とする場合であってもよい。また、例えば、表示部やアラームを給餌装置に設け、検知部の飼料検知により警告表示や発報をすることで、作業者に給餌の停止を行わせる場合であってもよい。
【００６８】
前記実施形態では、搬送路２１の一端側（上流側となる）に貯蔵部２３を設け、搬送路２１の他端側（下流側となる）に給餌装置１０を設けた場合について説明した。これに限らず、搬送路の中途部に貯蔵部を設ける場合であってもよい。この場合、搬送部が搬送路の一端側および他端側へ交互に飼料を搬送する構成となるように、駆動部を正逆回転させることが考えられる。
【００６９】
前記実施形態では、搬送路２１の端に飼料検知機能を有する給餌装置１０を設け、その給餌装置１０の皿部１１がカットされた場合について説明した。これに限らず、搬送路の端に飼料検知機能を有しない給餌装置を設け、その給餌装置の皿部がカットされた場合であってもよい。
【００７０】
前記実施形態では、駆動源としてモータ３２を適用した場合について説明した。これに限らず、駆動源として手動でスクリューコンベアを回転させる機構を適用する場合であってもよい。
【符号の説明】
【００７１】
１０  給餌装置
１１  皿部
１８  本体部
１８ａ  導入口
１８ｂ  排出口
２１  搬送路
３２  モータ（駆動源）
３４  アダプタ部
３６  フランジ部
【要約】
【課題】給餌能力を高めることのできる給餌技術を提供する。
【解決手段】給餌装置１０は、皿部１１と、皿部１１に排出口１８ｂを対向させて皿部１１の上方に設けられる筒状の本体部１８と、本体部１８の導入口１８ａと連通して本体部１８の上部に設けられ、飼料を搬送する搬送路と連通されるアダプタ部３４とを備えている。アダプタ部３４は、搬送路の端でモータが組み付けられるフランジ部３６を有している。皿部１１は、モータが組み付けられるフランジ部３６下方以外の箇所に設けられている。
【選択図】図３【図１】
0005435391.tif 000002
【図２】
0005435391.tif 000003
【図３】
0005435391.tif 000004
【図４】
0005435391.tif 000005
【図５】
0005435391.tif 000006
【図６】
0005435391.tif 000007
【図７】
0005435391.tif 000008
【図８】
0005435391.tif 000009
【図９】
0005435391.tif 000010
【図１０】
0005435391.tif 000011
【図１１】
0005435391.tif 000012
【図１２】
0005435391.tif 000013
【図１３】
0005435391.tif 000014
【図１４】
0005435391.tif 000015